(57)【要約】【課題】諸収差を良好に補正しながら小型化と軽量化を図ることができるズームレンズ系及びこれを備えた撮影装置を提供する。【解決手段】物体側から順に、正の第１レンズ群と、負の第２レンズ群と、後続レンズ群とから構成され、第２レンズ群は、物体側から順に、負の第２ａレンズ群と、負の第２ｂレンズ群とから構成され、後続レンズ群は、開口絞りと、少なくとも２つのレンズ群とを有し、ワイド端からテレ端への変倍に際し、第１レンズ群と第２ａレンズ群の間隔が増大し、第２ａレンズ群と第２ｂレンズ群の間隔が変化又は固定であり、第２ｂレンズ群と後続レンズ群の間隔が減少し、第２ａレンズ群は、物体側から順に、負レンズと、正レンズとから構成され、第２ａレンズ群は、光軸に対して垂直方向の成分を含むように移動する。【選択図】図１
2020086357.tif 000002
【特許請求の範囲】
【請求項１】
物体側から順に、正の屈折力の第１レンズ群と、負の屈折力の第２レンズ群と、後続レンズ群とから構成され、
第２レンズ群は、物体側から順に、負の屈折力の第２ａレンズ群と、負の屈折力の第２ｂレンズ群とから構成され、
後続レンズ群は、開口絞りと、少なくとも２つのレンズ群とを有し、
短焦点距離端から長焦点距離端への変倍に際し、第１レンズ群と第２ａレンズ群の間隔が増大し、第２ａレンズ群と第２ｂレンズ群の間隔が変化又は固定であり、第２ｂレンズ群と後続レンズ群の間隔が減少し、
第２ａレンズ群は、物体側から順に、負レンズと、正レンズとから構成され、
第２ａレンズ群は、光軸に対して垂直方向の成分を含むように移動する、
ことを特徴とするズームレンズ系。
【請求項２】
次の条件式（１）を満足することを特徴とする請求項１に記載のズームレンズ系。
（１）−１．５＜（１−ｂ２ａ＿ｓ）・ｂｂ＿ｓ＜−０．７
但し、
ｂ２ａ＿ｓ：短焦点距離端における第２ａレンズ群の倍率、
ｂｂ＿ｓ：短焦点距離端における第２ａレンズ群より像側のレンズ群の倍率。
【請求項３】
次の条件式（２）を満足することを特徴とする請求項１又は請求項２に記載のズームレンズ系。
（２）０．３＜ｆ２ａ／ｆ２ｂ＜２．５
但し、
ｆ２ａ：第２ａレンズ群の焦点距離、
ｆ２ｂ：第２ｂレンズ群の焦点距離。
【請求項４】
第２ａレンズ群の負レンズは、像側に凹面を向けており、
第２ａレンズ群の正レンズは、物体側に凸面を向けている、
ことを特徴とする請求項１から請求項３のいずれかに記載のズームレンズ系。
【請求項５】
次の条件式（３）を満足することを特徴とする請求項１から請求項４のいずれかに記載のズームレンズ系。
（３）−０．２＜（Ｒ２１２−Ｒ２２１）／（Ｒ２１２＋Ｒ２２１）＜０．２
但し、
Ｒ２１２：第２ａレンズ群の負レンズの像側の面の曲率半径、
Ｒ２２１：第２ａレンズ群の正レンズの物体側の面の曲率半径。
【請求項６】
次の条件式（４）を満足することを特徴とする請求項１から請求項５のいずれかに記載のズームレンズ系。
（４）０．０１＜Ｄａ／Ｄ２ａ＜０．５
但し、
Ｄａ：第２ａレンズ群の負レンズと正レンズの光軸上の間隔、
Ｄ２ａ：第２ａレンズ群の光軸上の厚さ。
【請求項７】
次の条件式（５）を満足することを特徴とする請求項１から請求項６のいずれかに記載のズームレンズ系。
（５）−０．７＜ｆ２１／ｆ２２＜−０．２
但し、
ｆ２１：第２ａレンズ群の負レンズの焦点距離、
ｆ２２：第２ａレンズ群の正レンズの焦点距離。
【請求項８】
短焦点距離端から長焦点距離端への変倍に際し、第２ａレンズ群が像面に対して固定されていることを特徴とする請求項１から請求項７のいずれかに記載のズームレンズ系。
【請求項９】
後続レンズ群は、物体側から順に、正の屈折力のレンズ群と、負の屈折力のレンズ群とを有しており、負の屈折力のレンズ群は、フォーカシング時に移動するフォーカスレンズ群であることを特徴とする請求項１から請求項８のいずれかに記載のズームレンズ系。
【請求項１０】
後続レンズ群は、物体側から順に、正の屈折力の第３レンズ群と、負の屈折力の第４レンズ群と、負の屈折力の第５レンズ群とから構成されていることを特徴とする請求項１から請求項９のいずれかに記載のズームレンズ系。
【請求項１１】
後続レンズ群は、物体側から順に、正の屈折力の第３レンズ群と、負の屈折力の第４レンズ群と、正の屈折力の第５レンズ群とから構成されていることを特徴とする請求項１から請求項９のいずれかに記載のズームレンズ系。
【請求項１２】
後続レンズ群は、物体側から順に、正の屈折力の第３レンズ群と、正の屈折力の第４レンズ群と、負の屈折力の第５レンズ群と、正の屈折力の第６レンズ群とから構成されていることを特徴とする請求項１から請求項９のいずれかに記載のズームレンズ系。
【請求項１３】
請求項１から請求項１２のいずれかに記載のズームレンズ系を有する撮影装置。
【発明の詳細な説明】
【技術分野】
【０００１】
本発明は、ズームレンズ系及びこれを備えた撮影装置に関する。
【背景技術】
【０００２】
近年、例えば、一眼レフカメラ用の望遠ズームレンズ系に対するユーザの要望が多岐にわたっている。その中でも高性能であることに対する要求のウエイトが高い。高性能化という面では、少なくとも、３０００万画素以上の撮像素子に対応した解像力を有することに加え、絞り開放からコマフレアが少なく高コントラストで画角の周辺部まで点像の崩れが少ないこと、色収差が少なく輝度差の大きな部分にも不要な色付きを生じないこと、歪曲収差が少なく直線を直線として描写可能なこと等が要求される。
【０００３】
また、カメラを手持ちで撮影する場合、露光時間が長くなると、手振れにより撮影画像にぶれが発生するおそれがある。そのため、像ぶれを補正する機構が望まれている。同じ角度の手振れが発生した場合に焦点距離が長いほど像ぶれが大きくなるため、長焦点距離端側（テレ端側）ではより像ぶれを補正できることが望ましい。
【０００４】
そのような要望に応えるズームレンズ系として、物体側から順に、正の屈折力の第１レンズ群と、負の屈折力の第２レンズ群を有し、第２レンズ群の全部又は一部を、光軸に対して垂直方向の成分を含むように移動させる（像振れ補正駆動する）構成が知られている。この構成では、長焦点距離端側（テレ端側）における移動に対して像ぶれ補正量が大きいという特長があるので、望遠ズームレンズ系の像ぶれ補正に適している。
【０００５】
特許文献１には、物体側から順に、正の屈折力の第１レンズ群と、負の屈折力の第２レンズ群と、正の屈折力の第３レンズ群と、１以上のレンズ群を含む後群とから構成されたズームレンズ系が開示されている。第２レンズ群は、像ぶれ補正に際して不動の第２ａ群と、像ぶれ補正に際して光軸に対して垂直方向の成分を持つように移動する第２ｂ群とから構成されている。
【０００６】
特許文献２には、物体側から順に、正の屈折力の第１レンズ群と、負の屈折力の第２レンズ群と、正の屈折力の第３レンズ群とを有するズームレンズ系が開示されている。第２レンズ群の全部又は一部は、光軸に対して垂直方向の成分を持つように移動して結像位置を光軸に対して垂直方向に移動させる防振レンズ群である。
【先行技術文献】
【特許文献】
【０００７】
【特許文献１】特開２０１５−１９１００８号公報
【特許文献２】特開２０１４−１４５９６０号公報
【発明の概要】
【発明が解決しようとする課題】
【０００８】
しかしながら、特許文献１のズームレンズ系は、像振れ補正レンズ群である第２ｂ群が長焦点距離端側（テレ端側）で絞りに近いので、像振れ補正時に長焦点距離端側（テレ端側）で発生する偏心コマ収差が大きくなりやすい。そのため、像振れ補正レンズ群である第２ｂ群を３枚以上のレンズで構成しており、像振れ補正レンズ群の軽量化の点で課題が残る。
【０００９】
また、特許文献２のズームレンズ系は、第２レンズ群の全部を防振レンズ群とする場合、ズーム全域で収差補正を行うために第２レンズ群（防振レンズ群）を３枚以上のレンズで構成している。一方、第２レンズ群の一部を防振レンズ群とする場合でも、防振レンズ群を３枚以上のレンズで構成している。いずれの場合であっても、軽量化の点で課題が残る。
【００１０】
本発明は、以上の問題意識に基づいて完成されたものであり、諸収差を良好に補正しながら小型化と軽量化を図ることができるズームレンズ系及びこれを備えた撮影装置を提供することを目的とする。
【課題を解決するための手段】
【００１１】
本実施形態のズームレンズ系は、物体側から順に、正の屈折力の第１レンズ群と、負の屈折力の第２レンズ群と、後続レンズ群とから構成され、第２レンズ群は、物体側から順に、負の屈折力の第２ａレンズ群と、負の屈折力の第２ｂレンズ群とから構成され、後続レンズ群は、開口絞りと、少なくとも２つのレンズ群とを有し、短焦点距離端から長焦点距離端への変倍に際し、第１レンズ群と第２ａレンズ群の間隔が増大し、第２ａレンズ群と第２ｂレンズ群の間隔が変化又は固定であり、第２ｂレンズ群と後続レンズ群の間隔が減少し、第２ａレンズ群は、物体側から順に、負レンズと、正レンズとから構成され、第２ａレンズ群は、光軸に対して垂直方向の成分を含むように移動する、ことを特徴としている。
【００１２】
本実施形態のズームレンズ系は、次の条件式（１）を満足することができる。
（１）−１．５＜（１−ｂ２ａ＿ｓ）・ｂｂ＿ｓ＜−０．７
但し、
ｂ２ａ＿ｓ：短焦点距離端における第２ａレンズ群の倍率、
ｂｂ＿ｓ：短焦点距離端における第２ａレンズ群より像側のレンズ群の倍率。
【００１３】
条件式（１）の条件式範囲内でも、特に、次の条件式（１’）を満足することが好ましい。
（１’）−１．２＜（１−ｂ２ａ＿ｓ）・ｂｂ＿ｓ＜−０．８
【００１４】
本実施形態のズームレンズ系は、次の条件式（２）を満足することができる。
（２）０．３＜ｆ２ａ／ｆ２ｂ＜２．５
但し、
ｆ２ａ：第２ａレンズ群の焦点距離、
ｆ２ｂ：第２ｂレンズ群の焦点距離。
【００１５】
条件式（２）の条件式範囲内でも、特に、次の条件式（２’）を満足することが好ましい。
（２’）０．５＜ｆ２ａ／ｆ２ｂ＜２．０
【００１６】
第２ａレンズ群の負レンズは、像側に凹面を向けており、第２ａレンズ群の正レンズは、物体側に凸面を向けていることができる。
【００１７】
本実施形態のズームレンズ系は、次の条件式（３）を満足することができる。
（３）−０．２＜（Ｒ２１２−Ｒ２２１）／（Ｒ２１２＋Ｒ２２１）＜０．２
但し、
Ｒ２１２：第２ａレンズ群の負レンズの像側の面の曲率半径、
Ｒ２２１：第２ａレンズ群の正レンズの物体側の面の曲率半径。
【００１８】
条件式（３）の条件式範囲内でも、特に、次の条件式（３’）を満足することが好ましい。
（３’）−０．１＜（Ｒ２１２−Ｒ２２１）／（Ｒ２１２＋Ｒ２２１）＜０．１
【００１９】
本実施形態のズームレンズ系は、次の条件式（４）を満足することができる。
（４）０．０１＜Ｄａ／Ｄ２ａ＜０．５
但し、
Ｄａ：第２ａレンズ群の負レンズと正レンズの光軸上の間隔、
Ｄ２ａ：第２ａレンズ群の光軸上の厚さ。
【００２０】
条件式（４）の条件式範囲内でも、特に、次の条件式（４’）を満足することが好ましい。
（４’）０．１＜Ｄａ／Ｄ２ａ＜０．４
【００２１】
本実施形態のズームレンズ系は、次の条件式（５）を満足することができる。
（５）−０．７＜ｆ２１／ｆ２２＜−０．２
但し、
ｆ２１：第２ａレンズ群の負レンズの焦点距離、
ｆ２２：第２ａレンズ群の正レンズの焦点距離。
【００２２】
条件式（５）の条件式範囲内でも、特に、次の条件式（５’）を満足することが好ましい。
（５’）−０．６＜ｆ２１／ｆ２２＜−０．３
【００２３】
短焦点距離端から長焦点距離端への変倍に際し、第２ａレンズ群が像面に対して固定されていることができる。
【００２４】
後続レンズ群は、物体側から順に、正の屈折力のレンズ群と、負の屈折力のレンズ群とを有しており、負の屈折力のレンズ群は、フォーカシング時に移動するフォーカスレンズ群であることができる。
【００２５】
後続レンズ群は、物体側から順に、正の屈折力の第３レンズ群と、負の屈折力の第４レンズ群と、負の屈折力の第５レンズ群とから構成されていることができる。
【００２６】
後続レンズ群は、物体側から順に、正の屈折力の第３レンズ群と、負の屈折力の第４レンズ群と、正の屈折力の第５レンズ群とから構成されていることができる。
【００２７】
後続レンズ群は、物体側から順に、正の屈折力の第３レンズ群と、正の屈折力の第４レンズ群と、負の屈折力の第５レンズ群と、正の屈折力の第６レンズ群とから構成されていることができる。
【００２８】
本実施形態のズームレンズ系は、次の条件式（６）を満足することができる。
（６）−３．０＜（１−ｂ２ａ＿ｌ）・ｂｂ＿ｌ＜−１．５
但し、
ｂ２ａ＿ｌ：長焦点距離端における第２ａレンズ群の倍率、
ｂｂ＿ｌ：長焦点距離端における第２ａレンズ群より像側のレンズ群の倍率。
【００２９】
条件式（６）の条件式範囲内でも、特に、次の条件式（６’）を満足することが好ましい。
（６’）−２．５＜（１−ｂ２ａ＿ｌ）・ｂｂ＿ｌ＜−１．５
【００３０】
本実施形態のズームレンズ系は、少なくとも１つのレンズ群として、フォーカシング時に移動するフォーカスレンズ群を有しており、次の条件式（７）を満足することができる。
（７）−１０．０＜（１−ｂｆｏｃ＿ｌ２）・ｂｆｏｃｂ＿ｌ２＜−４．０
但し、
ｂｆｏｃ＿ｌ：長焦点距離端におけるフォーカスレンズ群の倍率、
ｂｆｏｃｂ＿ｌ：長焦点距離端におけるフォーカスレンズ群より像側のレンズ群の倍率（フォーカスレンズ群より像側にレンズ群が存在しない場合には１とする）。
【００３１】
本実施形態のズームレンズ系は、次の条件式（８）を満足することができる。
（８）１．５＜ｆ１／ｆ＿ｓ＜３．０
但し、
ｆ１：第１レンズ群の焦点距離、
ｆ＿ｓ：短焦点距離端における全系の焦点距離。
【００３２】
本実施形態のズームレンズ系は、次の条件式（９）を満足することができる。
（９）０．７＜ＴＬ＿ｌ／ｆ＿ｌ＜１．１
但し、
ＴＬ＿ｌ：長焦点距離端における最も物体側のレンズ面から像面までの間隔、
ｆ＿ｌ：長焦点距離端における全系の焦点距離。
【００３３】
本実施形態の撮影装置は、上述したいずれかのズームレンズ系を有している。
【発明の効果】
【００３４】
本発明によれば、諸収差を良好に補正しながら小型化と軽量化を図ることができるズームレンズ系及びこれを備えた撮影装置を提供することができる。
【図面の簡単な説明】
【００３５】
【図１】数値実施例１のズームレンズ系のレンズ構成図である。
【図２】数値実施例１のズームレンズ系の短焦点距離端における諸収差図である。
【図３】数値実施例１のズームレンズ系の中間焦点距離における諸収差図である。
【図４】数値実施例１のズームレンズ系の長焦点距離端における諸収差図である。
【図５】数値実施例２のズームレンズ系のレンズ構成図である。
【図６】数値実施例２のズームレンズ系の短焦点距離端における諸収差図である。
【図７】数値実施例２のズームレンズ系の中間焦点距離における諸収差図である。
【図８】数値実施例２のズームレンズ系の長焦点距離端における諸収差図である。
【図９】数値実施例３のズームレンズ系のレンズ構成図である。
【図１０】数値実施例３のズームレンズ系の短焦点距離端における諸収差図である。
【図１１】数値実施例３のズームレンズ系の中間焦点距離における諸収差図である。
【図１２】数値実施例３のズームレンズ系の長焦点距離端における諸収差図である。
【図１３】数値実施例４のズームレンズ系のレンズ構成図である。
【図１４】数値実施例４のズームレンズ系の短焦点距離端における諸収差図である。
【図１５】数値実施例４のズームレンズ系の中間焦点距離における諸収差図である。
【図１６】数値実施例４のズームレンズ系の長焦点距離端における諸収差図である。
【図１７】数値実施例５のズームレンズ系のレンズ構成図である。
【図１８】数値実施例５のズームレンズ系の短焦点距離端における諸収差図である。
【図１９】数値実施例５のズームレンズ系の中間焦点距離における諸収差図である。
【図２０】数値実施例５のズームレンズ系の長焦点距離端における諸収差図である。
【図２１】数値実施例６のズームレンズ系のレンズ構成図である。
【図２２】数値実施例６のズームレンズ系の短焦点距離端における諸収差図である。
【図２３】数値実施例６のズームレンズ系の中間焦点距離における諸収差図である。
【図２４】数値実施例６のズームレンズ系の長焦点距離端における諸収差図である。
【図２５】数値実施例７のズームレンズ系のレンズ構成図である。
【図２６】数値実施例７のズームレンズ系の短焦点距離端における諸収差図である。
【図２７】数値実施例７のズームレンズ系の中間焦点距離における諸収差図である。
【図２８】数値実施例７のズームレンズ系の長焦点距離端における諸収差図である。
【図２９】本実施形態のズームレンズ系を搭載した撮影装置の一例を示す第１の図である。
【図３０】本実施形態のズームレンズ系を搭載した撮影装置の一例を示す第２の図である。
【発明を実施するための形態】
【００３６】
本実施形態のズームレンズ系は、全数値実施例１−７を通じて、物体側から順に、正の屈折力の第１レンズ群Ｇ１と、負の屈折力の第２レンズ群Ｇ２と、後続レンズ群とから構成されている。第２レンズ群Ｇ２は、物体側から順に、負の屈折力の第２ａレンズ群Ｇ２ａと、負の屈折力の第２ｂレンズ群Ｇ２ｂとから構成されている。
【００３７】
後続レンズ群は、開口絞りＳと、少なくとも２つのレンズ群とを有している。
【００３８】
後続レンズ群は、数値実施例１、４では、物体側から順に、正の屈折力の第３レンズ群Ｇ３と、負の屈折力の第４レンズ群Ｇ４と、負の屈折力の第５レンズ群Ｇ５とから構成されている。
【００３９】
後続レンズ群は、数値実施例２、３、５、７では、物体側から順に、正の屈折力の第３レンズ群Ｇ３と、負の屈折力の第４レンズ群Ｇ４と、正の屈折力の第５レンズ群Ｇ５とから構成されている。
【００４０】
後続レンズ群は、数値実施例６では、物体側から順に、正の屈折力の第３レンズ群Ｇ３と、正の屈折力の第４レンズ群Ｇ４と、負の屈折力の第５レンズ群Ｇ５と、正の屈折力の第６レンズ群Ｇ６とから構成されている。
【００４１】
第１レンズ群Ｇ１−第５レンズ群Ｇ５は、数値実施例１−５、７において、短焦点距離端から長焦点距離端への変倍に際して、隣接する各レンズ群どうしの間隔を変化させる。また、第１レンズ群Ｇ１−第６レンズ群Ｇ６は、数値実施例６において、短焦点距離端から長焦点距離端への変倍に際して、隣接する各レンズ群どうしの間隔を変化させる。
【００４２】
第２ａレンズ群Ｇ２ａと第２ｂレンズ群Ｇ２ｂは、数値実施例１、２、６、７において、短焦点距離端から長焦点距離端への変倍に際して、互いの間隔が固定である（変化しない）。また、第２ａレンズ群Ｇ２ａと第２ｂレンズ群Ｇ２ｂは、数値実施例３−５において、短焦点距離端から長焦点距離端への変倍に際して、互いの間隔が変化する。
【００４３】
以上より、短焦点距離端から長焦点距離端への変倍時に互いの間隔が変化するレンズ群の単位に基づいてズームレンズ構成を規定したとき、各数値実施例１−７のズームレンズ構成は次のようになる。
数値実施例１：正負正負負の５群ズームレンズ構成
数値実施例２：正負正負正の５群ズームレンズ構成
数値実施例３：正負負正負正の６群ズームレンズ構成
数値実施例４：正負負正負負の６群ズームレンズ構成
数値実施例５：正負負正負正の６群ズームレンズ構成
数値実施例６：正負正正負正の６群ズームレンズ構成
数値実施例７：正負正負正の５群ズームレンズ構成
【００４４】
本実施形態のズームレンズ系は、短焦点距離端から長焦点距離端への変倍に際し、第１レンズ群Ｇ１と第２ａレンズ群Ｇ２ａの間隔が増大し、第２ａレンズ群Ｇ２ａと第２ｂレンズ群Ｇ２ｂの間隔が変化又は固定であり、第２ｂレンズ群Ｇ２ｂと後続レンズ群（第３レンズ群Ｇ３）の間隔が減少する。
【００４５】
本実施形態のズームレンズ系は、主たる変倍機能を有する第２レンズ群Ｇ２を物体側の第２ａレンズ群Ｇ２ａと像側の第２ｂレンズ群Ｇ２ｂに分割して、第２ａレンズ群Ｇ２ａと第２ｂレンズ群Ｇ２ｂの各々が受け持つ負の屈折力を分担している。
【００４６】
また、第２ａレンズ群Ｇ２ａを、物体側から順に位置する負レンズと正レンズ（２１と２２又は２１’と２２’）の２枚のレンズで構成するとともに、光軸に対して垂直方向の成分を含むように移動する像振れ補正レンズ群（防振レンズ群）としている。長焦点距離端において開口絞りＳから離れている第２ａレンズ群Ｇ２ａを像振れ補正レンズ群とすることにより、第２ａレンズ群Ｇ２ａを２枚のレンズで構成した場合であっても、諸収差、特に像振れ補正時に発生する偏心収差（偏心コマ収差）を良好に補正することが可能になる。
【００４７】
さらに、長焦点距離端の半画角が４°程度と望遠でありながら、第２ａレンズ群Ｇ２ａを２枚のレンズで構成していることから、像振れ補正レンズ群（防振レンズ群）の小型化と軽量化を図ることができる。また、例えば、３０００万画素以上の撮像素子に対応した解像力を有する望遠ズームレンズ系が実現可能となる。
【００４８】
条件式（１）、（１’）は、短焦点距離端における第２ａレンズ群Ｇ２ａとそれより像側のレンズ群の倍率との関係を規定している。条件式（１）を満足することにより、第２ａレンズ群Ｇ２ａによる像振れ補正量（防振感度）を最適設定するとともに、像振れ補正レンズ群（防振レンズ群）の小型化／重量減、及びズームレンズ系の小型化を図り、諸収差（偏心収差、偏心コマ収差）を良好に補正することができる。この作用効果は、条件式（１’）を満足することでより顕著に発現される。
条件式（１）の上限を超えると、第２ａレンズ群Ｇ２ａによる防振感度が低くなりすぎて、要求される像振れ補正量が大きくなる結果、像振れ補正レンズ群（防振レンズ群）の大型化/重量増、及びズームレンズ系の大型化を招いてしまう。また、第２ａレンズ群Ｇ２ａによる像振れ補正時に周辺の光がけられて、短焦点距離端における周辺光量比が低くなってしまう。
条件式（１）の下限を超えると、第２ａレンズ群Ｇ２ａによる防振感度が高くなりすぎて、第２ａレンズ群Ｇ２ａを負レンズと正レンズ（２１と２２又は２１’と２２’）の２枚のレンズで構成したのでは、諸収差（偏心収差、偏心コマ収差）を補正しきれなくなってしまう。
【００４９】
条件式（２）、（２’）は、第２ａレンズ群Ｇ２ａと第２ｂレンズ群Ｇ２ｂの焦点距離の比を規定している。条件式（２）を満足することにより、第２ａレンズ群Ｇ２ａによる像振れ補正量（防振感度）を最適設定するとともに、ズームレンズ系の小型化を図り、諸収差（偏心収差、偏心コマ収差）を良好に補正することができる。この作用効果は、条件式（２’）を満足することでより顕著に発現される。
条件式（２）の上限を超えると、第２ａレンズ群Ｇ２ａによる防振感度が低くなりすぎて、要求される像振れ補正量が大きくなる結果、ズームレンズ系の大型化を招いてしまう。また、第２ａレンズ群Ｇ２ａによる像振れ補正時に周辺の光がけられて、短焦点距離端における周辺光量比が低くなってしまう。
条件式（２）の下限を超えると、第２ａレンズ群Ｇ２ａによる防振感度が高くなりすぎて、第２ａレンズ群Ｇ２ａを負レンズと正レンズ（２１と２２又は２１’と２２’）の２枚のレンズで構成したのでは、諸収差（偏心収差、偏心コマ収差）を補正しきれなくなってしまう。
【００５０】
本実施形態のズームレンズ系は、第２ａレンズ群Ｇ２ａの負レンズ（２１又は２１’）が像側に凹面を向けており、第２ａレンズ群Ｇ２ａの正レンズ（２２又は２２’）が物体側に凸面を向けている。これにより、諸収差をより良好に補正することが可能になる。
【００５１】
条件式（３）、（３’）は、第２ａレンズ群Ｇ２ａの負レンズと正レンズ（２１と２２又は２１’と２２’）の間にある空気レンズの形状（シェーピングファクタ）を規定している。条件式（３）を満足することにより、第２ａレンズ群Ｇ２ａの負レンズ（２１又は２１’）で発生する収差（偏心収差）を第２ａレンズ群Ｇ２ａの正レンズ（２２又は２２’）で良好に補正することができる。この作用効果は、条件式（３’）を満足することでより顕著に発現される。
条件式（３）の上限を超えると、第２ａレンズ群Ｇ２ａの負レンズ（２１又は２１’）で発生する収差（偏心収差）を第２ａレンズ群Ｇ２ａの正レンズ（２２又は２２’）で過剰に補正してしまう。
条件式（３）の下限を超えると、第２ａレンズ群Ｇ２ａの負レンズ（２１又は２１’）で発生する収差（偏心収差）を第２ａレンズ群Ｇ２ａの正レンズ（２２又は２２’）で補正しきれなくなってしまう。
【００５２】
条件式（４）、（４’）は、第２ａレンズ群Ｇ２ａの負レンズと正レンズ（２１と２２又は２１’と２２’）の光軸上の間隔と、第２ａレンズ群Ｇ２ａの光軸上の厚さとの比を規定している。条件式（４）を満足することにより、第２ａレンズ群Ｇ２ａの負レンズと正レンズ（２１と２２又は２１’と２２’）の形状の自由度を確保しつつ、各種収差（偏心収差）を良好に補正することができる。この作用効果は、条件式（４’）を満足することでより顕著に発現される。
条件式（４）の上限を超えると、第２ａレンズ群Ｇ２ａの負レンズと正レンズ（２１と２２又は２１’と２２’）の形状の自由度が低くなり、第２ａレンズ群Ｇ２ａで各種収差を十分に補正することができず、像振れ補正により発生する偏心収差が大きくなってしまう。
条件式（４）の下限を超えると、第２ａレンズ群Ｇ２ａの負レンズ（２１又は２１’）の像側面と第２ａレンズ群Ｇ２ａの正レンズ（２２又は２２’）の物体側面で発生する収差が大きくなり、第２ａレンズ群Ｇ２ａで各種収差を十分に補正することができず、像振れ補正により発生する偏心収差が大きくなってしまう。
【００５３】
条件式（５）、（５’）は、第２ａレンズ群Ｇ２ａの負レンズと正レンズ（２１と２２又は２１’と２２’）の焦点距離の比を規定している。条件式（５）を満足することにより、第２ａレンズ群Ｇ２ａの負レンズ（２１又は２１’）で発生する収差を第２ａレンズ群Ｇ２ａの正レンズ（２２又は２２’）で良好に補正することができる。この作用効果は、条件式（５’）を満足することでより顕著に発現される。
条件式（５）の上限を超えると、第２ａレンズ群Ｇ２ａの負レンズ（２１又は２１’）で発生する収差を第２ａレンズ群Ｇ２ａの正レンズ（２２又は２２’）で補正しきれなくなってしまう。
条件式（５）の下限を超えると、第２ａレンズ群Ｇ２ａの負レンズ（２１又は２１’）で発生する収差を第２ａレンズ群Ｇ２ａの正レンズ（２２又は２２’）で過剰に補正してしまう。
【００５４】
本実施形態のズームレンズ系は、短焦点距離端から長焦点距離端への変倍に際して、第２ａレンズ群Ｇ２ａが像面Ｉに対して固定されている（光軸方向に移動しない）。すなわち、数値実施例１、２、６、７では、第２ａレンズ群Ｇ２ａと第２ｂレンズ群Ｇ２ｂが一緒に像面Ｉに対して固定されており、数値実施例３−５では、第２ａレンズ群Ｇ２ａが像面Ｉに対して固定されており、第２ｂレンズ群Ｇ２ｂが光軸方向に移動する。像振れ補正レンズ群である第２ａレンズ群Ｇ２ａを変倍時に像面Ｉに対して固定とすることにより、像振れ補正駆動用のメカ機構を簡易にして、装置の小型化を図ることができる。また、像振れ補正時に発生しがちな像振れ補正レンズ群の傾きを抑制し易く、像振れ補正時の偏心収差を良好に補正することができる。
【００５５】
本実施形態のズームレンズ系は、後続レンズ群が、物体側から順に、正の屈折力のレンズ群と、負の屈折力のレンズ群とを有しており、負の屈折力のレンズ群が、フォーカシング時に移動するフォーカスレンズ群を構成している。具体的に、数値実施例１−５、７では、負の屈折力の第４レンズ群Ｇ４がフォーカスレンズ群を構成しており、数値実施例６では、負の屈折力の第５レンズ群Ｇ５がフォーカスレンズ群を構成している。いずれの場合も、フォーカスレンズ群は、物体側から順に位置する像側に凸面を向けた正レンズと物体側に凹面を向けた負レンズの２枚のレンズから構成されている。このため、フォーカスレンズ群を簡易な構成としながらも、物体距離変化による収差変動を良好に補正することができる。また、より近くまでフォーカスするためには、フォーカスレンズ群の移動量に対する像位置の変化量を大きくする必要がある。正の屈折力のレンズ群の像側に負の屈折力のフォーカスレンズ群を配置することで、フォーカスレンズ群の移動量に対する像位置の変化量を大きくすることができる。
【００５６】
本実施形態のズームレンズ系は、使用する全てのレンズが球面レンズである（非球面レンズを使用していない）。これにより、レンズコストを低くするとともに、非球面の切削痕によるボケを防止することができる。
【００５７】
条件式（６）、（６’）は、長焦点距離端における第２ａレンズ群Ｇ２ａとそれより像側のレンズ群の倍率との関係を規定している。条件式（６）を満足することにより、第２ａレンズ群Ｇ２ａによる像振れ補正量（防振感度）を最適設定するとともに、ズームレンズ系の小型化を図り、諸収差（偏心収差、偏心コマ収差）を良好に補正することができる。この作用効果は、条件式（６’）を満足することでより顕著に発現される。
条件式（６）の上限を超えると、第２ａレンズ群Ｇ２ａによる防振感度が低くなりすぎて、要求される像振れ補正量が大きくなる結果、ズームレンズ系の大型化を招いてしまう。また、第２ａレンズ群Ｇ２ａによる像振れ補正時に周辺の光がけられて、長焦点距離端における周辺光量比が低くなってしまう。
条件式（６）の下限を超えると、第２ａレンズ群Ｇ２ａによる防振感度が高くなりすぎて、第２ａレンズ群Ｇ２ａを負レンズと正レンズ（２１と２２又は２１’と２２’）の２枚のレンズで構成したのでは、諸収差（偏心収差、偏心コマ収差）を補正しきれなくなってしまう。
【００５８】
上述したように、本実施形態のズームレンズ系は、フォーカシング時に移動するフォーカスレンズ群を有している。条件式（７）は、長焦点距離端におけるフォーカスレンズ群とそれより像側のレンズ群の倍率の関係を規定している。条件式（７）を満足することにより、フォーカスレンズ群の移動量に対する像位置の変化量が大きく、かつ収差変動を抑制することができる。
条件式（７）の上限を超えると、フォーカスレンズ群の移動量に対する像位置の変化量が小さくなってしまう。
条件式（７）の下限を超えると、フォーカシング時における収差変動の抑制が困難になってしまう。
【００５９】
条件式（８）は、第１レンズ群Ｇ１の焦点距離と、短焦点距離端における全系の焦点距離との比を規定している。条件式（８）を満足することにより、ズームレンズ系の小型化（レンズ全長の短縮化）を図るとともに、変倍時における収差変動を効果的に抑制することができる。
条件式（８）の上限を超えると、第１レンズ群Ｇ１の焦点距離が長くなりすぎて、変倍時における第１レンズ群Ｇ１の移動量が大きくなる結果、ズームレンズ系が大型化してしまう（全長が長くなってしまう）。
条件式（８）の下限を超えると、第１レンズ群Ｇ１の焦点距離が短くなりすぎて、変倍時における収差変動の抑制が困難になってしまう。
【００６０】
条件式（９）は、長焦点距離端における最も物体側のレンズ面から像面Ｉまでの間隔と、長焦点距離端における全系の焦点距離との比を規定している。条件式（９）を満足することにより、ズームレンズ系の小型化（レンズ全長の短縮化）と諸収差の補正の両立が可能になる。
条件式（９）の上限を超えると、レンズ全長が長くなりすぎて、ズームレンズ系が大型化してしまう。
条件式（９）の下限を超えると、レンズ全長が短くなりすぎて、諸収差の補正が困難になってしまう。
【００６１】
次に具体的な数値実施例１−７を示す。諸収差図において、球面収差の破線は正弦条件を示している。また、非点収差において、実線と一点鎖線はサジタルを示しており、破線と二点鎖線はメリディオナルを示している。また、実線と破線はｄ線を示しており、一点鎖線と二点鎖線はｇ線を示している。諸収差図及び表中において、FNO.はＦナンバー、Yは像高、BFはバックフォーカス、Rは曲率半径、Dはレンズ厚またはレンズ間隔、Nはｄ線に対する屈折率、νはｄ線に対するアッベ数、φは最大光線有効径を示している。バックフォーカスはレンズ全系の最も像側の面から設計上の像面Ｉまでの距離である。焦点距離、Ｆナンバー、バックフォーカス、変倍に伴って間隔が変化するレンズ間隔ｄは、短焦点距離端−中間焦点距離−長焦点距離端の順に示している。長さの単位は[mm]である。
【００６２】
［数値実施例１］
図１〜図４と表１〜表３は、数値実施例１のズームレンズ系を示している。図１はレンズ構成図、図２は短焦点距離端における諸収差図、図３は中間焦点距離における諸収差図、図４は長焦点距離端における諸収差図である。表１は面データ、表２は各種データ、表３は条件式データである。
【００６３】
数値実施例１のズームレンズ系は、物体側から順に、正の屈折力の第１レンズ群Ｇ１と、負の屈折力の第２レンズ群Ｇ２と、正の屈折力の第３レンズ群Ｇ３と、負の屈折力の第４レンズ群Ｇ４と、負の屈折力の第５レンズ群Ｇ５とから構成されている。第３レンズ群Ｇ３と第４レンズ群Ｇ４と第５レンズ群Ｇ５が「後続レンズ群」を構成している。第２レンズ群Ｇ２は、物体側から順に、負の屈折力の第２ａレンズ群Ｇ２ａと、負の屈折力の第２ｂレンズ群Ｇ２ｂとから構成されている。
【００６４】
数値実施例１のズームレンズ系は、短焦点距離端から長焦点距離端への変倍に際して、第２ａレンズ群Ｇ２ａと第２ｂレンズ群Ｇ２ｂの間隔が固定である。そのため、数値実施例１のズームレンズ系は、正負正負負の５群ズームレンズ構成である。
【００６５】
第１レンズ群Ｇ１は、物体側から順に、物体側に凸の正メニスカスレンズ１１と、物体側に凸の負メニスカスレンズ１２と、物体側に凸の正メニスカスレンズ１３とから構成されている。負メニスカスレンズ１２と正メニスカスレンズ１３は、接合されている。
【００６６】
第２ａレンズ群Ｇ２ａは、物体側から順に、物体側に凸の負メニスカスレンズ２１と、物体側に凸の正メニスカスレンズ２２とから構成されている。
【００６７】
第２ｂレンズ群Ｇ２ｂは、物体側から順に、両凸正レンズ２３と、両凹負レンズ２４と、像側に凸の負メニスカスレンズ２５とから構成されている。
【００６８】
第３レンズ群Ｇ３は、物体側から順に、開口絞りＳと、両凸正レンズ３１と、両凸正レンズ３２と、像側に凸の負メニスカスレンズ３３と、物体側に凸の負メニスカスレンズ３４と、両凸正レンズ３５と、両凸正レンズ３６とから構成されている。両凸正レンズ３２と負メニスカスレンズ３３は接合されており、負メニスカスレンズ３４と両凸正レンズ３５は接合されている。
【００６９】
第４レンズ群Ｇ４は、物体側から順に、両凸正レンズ４１と、両凹負レンズ４２とから構成されている。
【００７０】
第５レンズ群Ｇ５は、物体側から順に、像側に凸の負メニスカスレンズ５１と、両凸正レンズ５２とから構成されている。
【００７１】
（表１）
面番号       R         D        N           ν       φ
1         97.269     7.22     1.48749     70.24     60.1
2       1331.362     0.30                           58.9
3         90.890     2.20     1.83400     37.16     56.2
4         53.673    10.20     1.49700     81.54     53.2
5        399.004      D5                            51.0
6        478.231     1.40     1.90525     35.04     28.4
7         31.191     3.00                           26.3
8         33.547     3.40     1.85896     22.73     26.0
9         69.000     2.00                           25.1
10        65.923     4.01     1.80809     22.76     24.0
11       -87.071     0.67                           23.5
12      -202.678     1.40     1.65160     58.55     22.6
13        35.749     7.55                           21.5
14       -31.596     1.40     2.00100     29.13     21.2
15       -94.744      D15                           22.0
16         絞り      2.00                           23.4
17       373.630     3.65     1.80610     40.93     24.6
18       -62.056     0.31                           25.2
19        57.362     5.58     1.59522     67.73     25.6
20       -39.374     1.40     2.00100     29.13     25.5
21      -198.599   25.035                           25.7
22        75.018     1.43     1.95375     32.32     26.1
23        34.018     5.35     1.49700     81.54     25.7
24       -90.698     0.31                           25.7
25        66.063     3.52     1.80610     40.93     25.5
26      -320.919      D26                           25.0
27        86.351     3.87     1.67270     32.10     24.0
28       -63.542     1.13                           23.5
29       -63.044     1.40     1.75700     47.82     22.7
30        25.796      D30                           21.7
31       -32.206     1.50     1.62041     60.29     26.5
32      -159.569     0.55                           28.6
33        68.476     4.64     1.62004     36.26     31.0
34      -129.030      BF                            31.6
（表２）
短焦点距離端     中間焦点距離     長焦点距離端
焦点距離          72.2             135.0            293.1
Ｆナンバー        4.56              5.01             5.52
D5              4.1815           37.3291          71.7556
D15            22.1397           11.2491           3.0000
D26             4.7989            7.8466           3.0430
D30            18.3889           15.3412          20.1449
BF             38.3000           49.1906          57.4397
（表３）
条件式（１） （１−ｂ２ａ＿ｓ）・ｂｂ＿ｓ     -0.82
条件式（２）       ｆ２ａ／ｆ２ｂ             1.44
条件式（３） （Ｒ２１２−Ｒ２２１）／（Ｒ２１２＋Ｒ２２１）     -0.04
条件式（４）        Ｄａ／Ｄ２ａ              0.38
条件式（５）      ｆ２１／ｆ２２             -0.51
条件式（６） （１−ｂ２ａ＿ｌ）・ｂｂ＿ｌ     -1.69
条件式（７）    （１−ｂｆｏｃ＿ｌ２）・ｂｆｏｃｂ＿ｌ２           -6.65
条件式（８）        ｆ１／ｆ＿ｓ              2.15
条件式（９）      ＴＬ＿ｌ／ｆ＿ｌ            0.89
【００７２】
［数値実施例２］
図５〜図８と表４〜表６は、数値実施例２のズームレンズ系を示している。図５はレンズ構成図、図６は短焦点距離端における諸収差図、図７は中間焦点距離における諸収差図、図８は長焦点距離端における諸収差図である。表４は面データ、表５は各種データ、表６は条件式データである。
【００７３】
数値実施例２のズームレンズ系は、以下の点を除いて、数値実施例１のズームレンズ系と同様である。
（１）第５レンズ群Ｇ５が、負の屈折力ではなく、正の屈折力を持っている。このため、数値実施例２のズームレンズ系は、正負正負正の５群ズームレンズ構成である。
（２）第２レンズ群Ｇ２の負レンズ２１が、負メニスカスレンズではなく、両凹負レンズである。
（３）第３レンズ群Ｇ３の負レンズ３３が、負メニスカスレンズではなく、両凹負レンズである。
【００７４】
（表４）
面番号       R         D        N           ν       φ
1         96.415     6.84    1.48749      70.24     59.1
2       1117.934     0.30                           58.1
3         93.150     2.20    1.83400      37.16     55.5
4         54.169     8.93    1.49700      81.54     52.6
5        430.671      D5                            51.0
6      -1395.421     1.40    1.91082      35.25     26.4
7         31.781     0.80                           25.2
8         32.235     3.94    1.89286      20.36     25.4
9         74.497     2.57                           24.7
10        75.213     4.00    1.78472      25.68     24.0
11       -71.918     0.30                           23.5
12      -316.131     1.40    1.60300      65.44     22.7
13        33.862     8.09                           21.4
14       -27.163     1.40    2.00100      29.13     21.0
15       -72.152      D15                           21.9
16         絞り      2.00                           23.4
17       281.338     3.45    1.78590      44.20     24.7
18       -64.239     0.30                           25.2
19        58.710     5.42    1.59522      67.73     25.6
20       -38.838     1.40    2.00100      29.13     25.5
21      -163.082    24.430                          25.8
22        85.410     1.40    1.95375      32.32     26.0
23        34.648     5.33    1.49700      81.54     25.6
24       -84.197     0.30                           25.7
25        59.939     3.51    1.83400      37.16     25.5
26      -528.103      D26                           25.0
27       150.135     3.73    1.64769      33.79     24.1
28       -56.250     1.24                           23.7
29       -56.763     1.40    1.71300      53.87     22.9
30        26.420      D30                           22.1
31       -31.364     1.50    1.49700      81.54     27.5
32       -95.848     0.30                           29.6
33        55.201     4.48    1.59551      39.24     32.4
34     -1035.864      BF                            32.8
（表５）
短焦点距離端     中間焦点距離     長焦点距離端
焦点距離          72.2            135.0            293.2
Ｆナンバー        4.43             4.88             5.34
D5              7.5765          39.8273          75.2170
D15            22.2854          11.0288           3.0003
D26             4.8120           8.1191           3.1790
D30            18.8235          15.5165          20.4565
BF             38.3185          49.5751          57.6036
（表６）
条件式（１） （１−ｂ２ａ＿ｓ）・ｂｂ＿ｓ     -0.82
条件式（２）       ｆ２ａ／ｆ２ｂ             1.43
条件式（３） （Ｒ２１２−Ｒ２２１）／（Ｒ２１２＋Ｒ２２１）     -0.01
条件式（４）        Ｄａ／Ｄ２ａ              0.13
条件式（５）      ｆ２１／ｆ２２             -0.56
条件式（６） （１−ｂ２ａ＿ｌ）・ｂｂ＿ｌ     -1.67
条件式（７）    （１−ｂｆｏｃ＿ｌ２）・ｂｆｏｃｂ＿ｌ２           -6.58
条件式（８）        ｆ１／ｆ＿ｓ              2.19
条件式（９）      ＴＬ＿ｌ／ｆ＿ｌ            0.89
【００７５】
［数値実施例３］
図９〜図１２と表７〜表９は、数値実施例３のズームレンズ系を示している。図９はレンズ構成図、図１０は短焦点距離端における諸収差図、図１１は中間焦点距離における諸収差図、図１２は長焦点距離端における諸収差図である。表７は面データ、表８は各種データ、表９は条件式データである。
【００７６】
数値実施例３のズームレンズ系は、以下の点を除いて、数値実施例１のズームレンズ系と同様である。
（１）第５レンズ群Ｇ５が、負の屈折力ではなく、正の屈折力を持っている。また、短焦点距離端から長焦点距離端への変倍に際して、第２ａレンズ群Ｇ２ａと第２ｂレンズ群Ｇ２ｂの間隔が変化する。このため、数値実施例３のズームレンズ系は、正負負正負正の６群ズームレンズ構成である。
（２）第２レンズ群Ｇ２の負レンズ２１が、負メニスカスレンズではなく、両凹負レンズである。
【００７７】
（表７）
面番号       R         D        N           ν       φ
1        103.513     6.74    1.48749      70.24     59.0 
2       1480.867     0.30                           57.9
3         98.236     2.20    1.83400      37.16     55.5 
4         57.716     9.11    1.49700      81.54     52.8 
5        429.911       D5                           51.0
6       -420.277     1.30    1.89190      37.13     26.0
7         30.685     1.19                           25.0
8         31.143     3.69    1.89286      20.36     25.3
9         58.674       D9                           24.7
10       180.519     3.76    1.76182      26.52     24.0
11       -57.977     3.02                           23.9
12      -272.659     1.30    1.49700      81.54     22.1
13        55.326     5.27                           21.6
14       -30.700     1.30    1.95375      32.32     21.3
15       -88.491      D15                           22.1
16         絞り      3.00                           23.0
17       195.494     3.50    1.74400      44.79     24.8
18       -69.873     0.30                           25.3
19        67.490     5.13    1.59282      68.62     25.7
20       -40.990     1.30    2.00100      29.13     25.6
21      -141.388    27.96                           25.9
22        78.812     1.30    2.00100      29.13     26.0
23        33.313     5.00    1.53775      74.70     25.6
24      -118.347     0.30                           25.7
25        54.971     3.57    1.83400      37.16     25.5
26      -931.656      D26                           25.0
27       179.117     3.21    1.75520      27.51     24.2
28       -84.038     0.35                           23.8
29      -102.938     1.30    1.71300      53.87     23.4
30        24.195      D30                           22.3
31       -29.732     1.50    1.49700      81.54     26.9
32      -129.854     0.30                           29.1
33        54.674     4.91    1.54814      45.78     31.8
34      -217.084       BF                           32.3
（表８）
短焦点距離端     中間焦点距離     長焦点距離端
焦点距離          72.0            135.1            293.6
Ｆナンバー        4.59             4.96             5.52
D5              4.6757          43.1572          80.2599
D9              3.0101           6.5501           5.7363
D15            23.1369           9.9978           2.0000
D26             5.0430           7.8906           2.5143
D30            17.6683          14.8208          20.1971
BF             38.5837          48.1828          56.9944
（表９）
条件式（１） （１−ｂ２ａ＿ｓ）・ｂｂ＿ｓ     -1.10
条件式（２）       ｆ２ａ／ｆ２ｂ             0.62
条件式（３） （Ｒ２１２−Ｒ２２１）／（Ｒ２１２＋Ｒ２２１）     -0.01
条件式（４）        Ｄａ／Ｄ２ａ              0.19
条件式（５）      ｆ２１／ｆ２２             -0.46
条件式（６） （１−ｂ２ａ＿ｌ）・ｂｂ＿ｌ     -2.18
条件式（７）    （１−ｂｆｏｃ＿ｌ２）・ｂｆｏｃｂ＿ｌ２           -7.00
条件式（８）        ｆ１／ｆ＿ｓ              2.31
条件式（９）      ＴＬ＿ｌ／ｆ＿ｌ            0.92
【００７８】
［数値実施例４］
図１３〜図１６と表１０〜表１２は、数値実施例４のズームレンズ系を示している。図１３はレンズ構成図、図１４は短焦点距離端における諸収差図、図１５は中間焦点距離における諸収差図、図１６は長焦点距離端における諸収差図である。表１０は面データ、表１１は各種データ、表１２は条件式データである。
【００７９】
数値実施例４のズームレンズ系は、以下の点を除いて、数値実施例１のズームレンズ系と同様である。
（１）短焦点距離端から長焦点距離端への変倍に際して、第２ａレンズ群Ｇ２ａと第２ｂレンズ群Ｇ２ｂの間隔が変化する。このため、数値実施例４のズームレンズ系は、正負負正負負の６群ズームレンズ構成である。
（２）第２レンズ群Ｇ２の負レンズ２１が、負メニスカスレンズではなく、両凹負レンズであり、第２レンズ群Ｇ２の負レンズ２４が、両凹負レンズではなく、物体側に凸の負メニスカスレンズである。
【００８０】
（表１０）
面番号       R         D        N           ν       φ
1        107.187     6.39    1.48749      70.24     58.7
2       1058.972     0.30                           57.6
3        103.073     2.20    1.83400      37.16     55.5
4         60.629     9.29    1.49700      81.54     52.9
5        506.496       D5                           51.0
6       -274.225     1.30    1.79952      42.22     27.9
7         35.939     1.59                           26.1
8         34.557     3.14    1.89286      20.36     25.9
9         51.107       D9                           24.9
10       107.440     3.99    1.80518      25.42     24.0
11       -62.774     0.30                           23.8
12      4569.817     1.30    1.49700      81.54     22.9
13        41.148     8.07                           22.1
14       -29.281     1.30    2.00100      29.13     21.4
15       -81.702      D15                           22.2
16         絞り      2.00                           23.4
17       272.440     3.45    1.79952      42.22     24.6
18       -68.061     0.30                           25.1
19        65.804     5.26    1.59282      68.62     25.5
20       -40.344     1.30    2.00100      29.13     25.3
21      -168.789    26.15                           25.6
22        82.238     1.30    2.00100      29.13     26.0
23        34.732     5.14    1.53775      74.70     25.6
24       -97.371     0.30                           25.7
25        62.252     3.49    1.83400      37.16     25.5
26      -360.804      D26                           25.0
27       163.118     3.61    1.72825      28.46     24.1
28       -58.479     0.30                           23.7
29       -62.086     1.30    1.71300      53.87     23.4
30        24.877      D30                           22.2
31       -32.059     1.50    1.48749      70.24     27.6
32      -135.572     0.30                           29.7
33        51.534     4.67    1.54814      45.78     32.4
34      -922.329      BF                            32.8
（表１１）
短焦点距離端     中間焦点距離     長焦点距離端
焦点距離          72.0            134.9            293.5
Ｆナンバー        4.58             4.99             5.51
D5              4.8516          44.4600          84.4008
D9              2.9540           6.4011           6.0532
D15            24.7267          11.2037           3.0000
D26             4.8064           7.5683           2.5690
D30            19.9809          17.2190          22.2183
BF             38.3029          48.3788          56.9304
（表１２）
条件式（１） （１−ｂ２ａ＿ｓ）・ｂｂ＿ｓ     -1.05
条件式（２）       ｆ２ａ／ｆ２ｂ             0.65
条件式（３） （Ｒ２１２−Ｒ２２１）／（Ｒ２１２＋Ｒ２２１）      0.02
条件式（４）        Ｄａ／Ｄ２ａ              0.26
条件式（５）      ｆ２１／ｆ２２             -0.36
条件式（６） （１−ｂ２ａ＿ｌ）・ｂｂ＿ｌ     -2.07
条件式（７）    （１−ｂｆｏｃ＿ｌ２）・ｂｆｏｃｂ＿ｌ２           -7.27
条件式（８）        ｆ１／ｆ＿ｓ              2.42
条件式（９）      ＴＬ＿ｌ／ｆ＿ｌ            0.94
【００８１】
［数値実施例５］
図１７〜図２０と表１３〜表１５は、数値実施例５のズームレンズ系を示している。図１７はレンズ構成図、図１８は短焦点距離端における諸収差図、図１９は中間焦点距離における諸収差図、図２０は長焦点距離端における諸収差図である。表１３は面データ、表１４は各種データ、表１５は条件式データである。
【００８２】
数値実施例５のズームレンズ系は、以下の点を除いて、数値実施例１のズームレンズ系と同様である。
（１）第５レンズ群Ｇ５が、負の屈折力ではなく、正の屈折力を持っている。また、短焦点距離端から長焦点距離端への変倍に際して、第２ａレンズ群Ｇ２ａと第２ｂレンズ群Ｇ２ｂの間隔が変化する。このため、数値実施例５のズームレンズ系は、正負負正負正の６群ズームレンズ構成である。
（２）第１レンズ群Ｇ１が、物体側から順に、物体側に凸の負メニスカスレンズ１１’と、両凸正レンズ１２’と、両凸正レンズ１３’とから構成されている。負メニスカスレンズ１１’と両凸正レンズ１２’は、接合されている。
（３）第２レンズ群Ｇ２の負レンズ２１が、負メニスカスレンズではなく、両凹負レンズである。両凹負レンズ２１の直前に図示を省略した固定絞りが位置している。
（４）第３レンズ群Ｇ３の負レンズ３３が、負メニスカスレンズではなく、両凹負レンズである。第３レンズ群Ｇ３の開口絞りＳが、両凸正レンズ３１の直前ではなく、両凹負レンズ３３と負メニスカスレンズ３４の間（両凹負レンズ３３の直後）に位置している。
（５）第４レンズ群Ｇ４の正レンズ４１が、両凸正レンズではなく、像側に凸の正メニスカスレンズである。
（６）第５レンズ群Ｇ５が、物体側から順に、両凸正レンズ５１’と、両凹負レンズ５２’とから構成されている。
【００８３】
（表１３）
面番号       R         D        N           ν       φ
1        279.405     2.20    1.83400      37.21     63.9
2        114.973     7.54    1.49700      81.54     62.6
3       -858.017     0.30                           62.0
4        116.910     6.49    1.49700      81.54     61.7
5      -2940.180      D5                            61.2
6       固定絞り     1.00                           26.4
7       -211.810     1.35    1.74320      49.34     26.2
8         33.720     1.38                           25.4
9         34.226     3.28    1.84666      23.78     25.7
10        60.184      D10                           25.2
11       161.732     3.76    2.00100      29.13     25.0
12       -70.599     3.33                           24.9
13      -358.489     1.35    1.48749      70.24     22.9
14        39.382     4.55                           21.9
15       -29.367     1.35    2.00100      29.13     21.8
16       -81.240      D16                           22.6
17       119.111     3.94    1.76200      40.10     26.5
18       -77.867     0.30                           26.6
19        44.847     5.63    1.61800      63.33     25.8
20       -53.735     1.35    2.00100      29.13     25.0
21       891.331     0.59                           24.4
22         絞り     14.69                           24.2
23        88.521     1.35    2.00100      29.13     23.5
24        28.702     5.28    1.49700      81.54     23.0
25      -146.284     7.58                           23.2
26        59.842     3.71    1.90366      31.34     25.2
27      -322.914      D27                           25.0
28      -170.523     3.10    1.84666      23.78     24.2
29       -47.684     1.50                           24.1
30       -49.176     1.35    1.72916      54.09     23.3
31        30.204      D31                           22.9
32        41.002     8.50    1.64769      33.79     32.6
33       -39.801     0.31                           32.5
34       -41.441     1.35    2.00100      29.13     32.1
35       263.203      BF                            32.5
（表１４）
短焦点距離端     中間焦点距離     長焦点距離端
焦点距離          72.2            135.2            293.0
Ｆナンバー        4.62             5.15             5.74
D5              1.8771          52.6373          98.7310
D10             3.3372           6.3991           3.7597
D16            26.6957          14.5349           5.0000
D27             5.4647           8.7219           5.9581
D31            18.4858          15.2286          17.9924
BF             39.03660        48.13546         60.30981
（表１５）
条件式（１） （１−ｂ２ａ＿ｓ）・ｂｂ＿ｓ     -1.00
条件式（２）       ｆ２ａ／ｆ２ｂ             0.75
条件式（３） （Ｒ２１２−Ｒ２２１）／（Ｒ２１２＋Ｒ２２１）     -0.01
条件式（４）        Ｄａ／Ｄ２ａ              0.23
条件式（５）      ｆ２１／ｆ２２             -0.44
条件式（６） （１−ｂ２ａ＿ｌ）・ｂｂ＿ｌ     -1.98
条件式（７）    （１−ｂｆｏｃ＿ｌ２）・ｂｆｏｃｂ＿ｌ２           -6.71
条件式（８）        ｆ１／ｆ＿ｓ              2.75
条件式（９）      ＴＬ＿ｌ／ｆ＿ｌ            0.99
【００８４】
［数値実施例６］
図２１〜図２４と表１６〜表１８は、数値実施例６のズームレンズ系を示している。図２１はレンズ構成図、図２２は短焦点距離端における諸収差図、図２３は中間焦点距離における諸収差図、図２４は長焦点距離端における諸収差図である。表１６は面データ、表１７は各種データ、表１８は条件式データである。
【００８５】
数値実施例６のズームレンズ系は、物体側から順に、正の屈折力の第１レンズ群Ｇ１と、負の屈折力の第２レンズ群Ｇ２と、正の屈折力の第３レンズ群Ｇ３と、正の屈折力の第４レンズ群Ｇ４と、負の屈折力の第５レンズ群Ｇ５と、正の屈折力の第６レンズ群Ｇ６とから構成されている。第３レンズ群Ｇ３と第４レンズ群Ｇ４と第５レンズ群Ｇ５と第６レンズ群Ｇ６が「後続レンズ群」を構成している。第２レンズ群Ｇ２は、物体側から順に、負の屈折力の第２ａレンズ群Ｇ２ａと、負の屈折力の第２ｂレンズ群Ｇ２ｂとから構成されている。
【００８６】
数値実施例６のズームレンズ系は、短焦点距離端から長焦点距離端への変倍に際して、第２ａレンズ群Ｇ２ａと第２ｂレンズ群Ｇ２ｂの間隔が固定である。そのため、数値実施例６のズームレンズ系は、正負正正負正の６群ズームレンズ構成である。
【００８７】
第１レンズ群Ｇ１は、物体側から順に、物体側に凸の正メニスカスレンズ１１と、物体側に凸の負メニスカスレンズ１２と、物体側に凸の正メニスカスレンズ１３とから構成されている。負メニスカスレンズ１２と正メニスカスレンズ１３は、接合されている。
【００８８】
第２ａレンズ群Ｇ２ａは、物体側から順に、両凹負レンズ２１と、物体側に凸の正メニスカスレンズ２２とから構成されている。
【００８９】
第２ｂレンズ群Ｇ２ｂは、物体側から順に、両凸正レンズ２３と、両凹負レンズ２４と、像側に凸の負メニスカスレンズ２５とから構成されている。
【００９０】
第３レンズ群Ｇ３は、物体側から順に、開口絞りＳと、両凸正レンズ３１’と、両凸正レンズ３２’と、像側に凸の負メニスカスレンズ３３’とから構成されている。両凸正レンズ３２’と負メニスカスレンズ３３’は、接合されている。
【００９１】
第４レンズ群Ｇ４は、物体側から順に、物体側に凸の負メニスカスレンズ４１’と、両凸正レンズ４２’と、両凸正レンズ４３’とから構成されている。負メニスカスレンズ４１’と両凸正レンズ４２’は、接合されている。
【００９２】
第５レンズ群Ｇ５は、物体側から順に、両凸正レンズ５１”と、両凹負レンズ５２”とから構成されている。
【００９３】
第６レンズ群Ｇ６は、物体側から順に、像側に凸の負メニスカスレンズ６１と、両凸正レンズ６２とから構成されている。
【００９４】
（表１６）
面番号       R         D        N           ν       φ
1         99.734     6.16    1.48749      70.24     58.7
2        693.339     0.30                           57.7
3        100.414     2.20    1.83400      37.16     55.6
4         58.430     9.55    1.49700      81.54     52.9
5        495.043       D5                           51.0
6       -422.223     1.30    1.80610      40.93     27.9
7         29.056     1.23                           25.9
8         29.679     3.60    1.89286      20.36     25.9
9         51.338     2.86                           24.9
10       102.085     3.95    1.74077      27.79     24.0
11       -60.234     1.80                           23.8
12      -268.845     1.30    1.49700      81.54     22.2
13        42.635     7.40                           21.4
14       -28.366     1.30    2.00100      29.13     21.0
15       -77.576      D15                           21.8
16         絞り      2.00                           23.2
17       300.949     3.46    1.75700      47.82     24.5
18       -63.125     0.30                           25.1
19        59.211     5.37    1.59282      68.62     25.6
20       -39.675     1.30    2.00100      29.13     25.5
21      -134.975      D21                           25.8
22        93.518     1.30    2.00100      29.13     25.9
23        33.979     5.12    1.53775      74.70     25.5
24       -92.719     0.30                           25.6
25        56.492     3.51    1.85026      32.27     25.5
26      -738.376      D26                           25.0
27       139.523     3.64    1.72151      29.23     24.2
28       -59.187     0.40                           23.8
29       -61.665     1.30    1.71300      53.87     23.4
30        24.591      D30                           22.3
31       -31.935     1.50    1.49700      81.54     27.1
32      -154.221     0.30                           29.3
33        51.419     5.10    1.51742      52.43     32.0
34      -203.219      BF                            32.5
（表１７）
短焦点距離端     中間焦点距離     長焦点距離端
焦点距離          72.1            135.0            293.4
Ｆナンバー        4.50             4.95             5.37
D5              4.6703          42.4584          83.8594
D15            20.7138           9.8614           3.0000
D21            25.5337          25.1026          25.4097
D26             5.2021           8.1725           2.5058
D30            17.5429          14.5725          20.2392
BF            39.00230         50.28580         56.84010
（表１８）
条件式（１） （１−ｂ２ａ＿ｓ）・ｂｂ＿ｓ     -1.05
条件式（２）       ｆ２ａ／ｆ２ｂ             0.78
条件式（３） （Ｒ２１２−Ｒ２２１）／（Ｒ２１２＋Ｒ２２１）     -0.01
条件式（４）        Ｄａ／Ｄ２ａ              0.20
条件式（５）      ｆ２１／ｆ２２             -0.46
条件式（６） （１−ｂ２ａ＿ｌ）・ｂｂ＿ｌ     -2.03
条件式（７）    （１−ｂｆｏｃ＿ｌ２）・ｂｆｏｃｂ＿ｌ２           -6.68
条件式（８）        ｆ１／ｆ＿ｓ              2.37
条件式（９）      ＴＬ＿ｌ／ｆ＿ｌ            0.92
【００９５】
［数値実施例７］
図２５〜図２８と表１９〜表２１は、数値実施例７のズームレンズ系を示している。図２５はレンズ構成図、図２６は短焦点距離端における諸収差図、図２７は中間焦点距離における諸収差図、図２８は長焦点距離端における諸収差図である。表１９は面データ、表２０は各種データ、表２１は条件式データである。
【００９６】
数値実施例７のズームレンズ系は、以下の点を除いて、数値実施例１のズームレンズ系と同様である。
（１）第５レンズ群Ｇ５が、負の屈折力ではなく、正の屈折力を持っている。このため、数値実施例２のズームレンズ系は、正負正負正の５群ズームレンズ構成である。
（２）第２ａレンズ群Ｇ２ａが、物体側から順に、両凹負レンズ２１’と、物体側に凸の正メニスカスレンズ２２’とから構成されている。
（３）第２ｂレンズ群Ｇ２ｂが、物体側から順に、両凸正レンズ２３’と、物体側に凸の負メニスカスレンズ２４’と、物体側に凸の正メニスカスレンズ２５’と、像側に凸の負メニスカスレンズ２６’とから構成されている。負メニスカスレンズ２４’と正メニスカスレンズ２５’は、接合されている。
（４）第４レンズ群Ｇ４の正レンズ４１が、両凸正レンズではなく、像側に凸の正メニスカスレンズである。
（５）第５レンズ群Ｇ５が、物体側から順に、像側に凸の負メニスカスレンズ５１Ｘと、両凸正レンズ５２Ｘと、像側に凸の負メニスカスレンズ５３Ｘとから構成されている。両凸正レンズ５２Ｘと負メニスカスレンズ５３Ｘは、接合されている。
【００９７】
（表１９）
面番号       R         D        N           ν       φ
1         99.253     5.40     1.48749     70.24     53.0
2       1397.368     0.20                           52.6
3        100.745     1.95     1.83400     37.20     51.7
4         56.982     7.70     1.49700     81.55     50.0
5        585.095      D5                            49.3
6       -141.620     0.96     1.65160     58.55     24.6
7         32.543     1.40                           24.1
8         32.259     2.15     1.84666     23.78     24.6
9         50.420     3.24                           24.4
10      1510.480     2.70     1.91082     35.25     24.4
11       -54.493     0.20                           24.4
12       417.468     1.20     1.83400     37.20     23.7
13        22.174     4.09     1.76182     26.52     22.7
14        70.614     3.49                           22.2
15       -28.047     1.20     1.83400     37.20     22.2
16      -122.178      D16                           23.1
17         絞り      1.80                           24.2
18       238.169     3.00     1.80400     46.53     25.4
19       -63.599     0.20                           25.7
20        41.342     6.20     1.49700     81.55     26.1
21       -41.342     1.20     2.00100     29.13     25.9
22      -303.653    18.38                           26.0
23        84.166     1.20     2.00100     29.13     26.8
24        35.196     5.70     1.48749     70.24     26.5
25       -75.219     0.20                           26.6
26        65.603     3.20     1.91082     35.25     27.0
27      -332.779      D27                           26.8
28      -875.660     2.13     1.84666     23.78     21.0
29       -54.081     1.98                           21.0
30       -51.289     0.80     1.77250     49.60     20.0
31        32.834      D31                           19.7
32       -27.290     1.30     1.48749     70.24     25.7
33       -45.252     0.20                           27.1
34        56.317     5.90     1.57501     41.50     29.4
35       -58.451     1.20     1.90366     31.31     29.7
36      -368.732                                    30.3
（表２０）
短焦点距離端     中間焦点距離     長焦点距離端
焦点距離          72.1            135.2            291.0
Ｆナンバー        4.63             5.19             5.74
D5              4.7272          38.2016          73.7761
D16            26.0283          13.4760           2.0693
D27             3.7981           6.9283           6.0394
D31            22.5292          19.3990          20.2879
BF             42.6020          55.1501          66.5597
（表２１）
条件式（１） （１−ｂ２ａ＿ｓ）・ｂｂ＿ｓ     -0.96
条件式（２）       ｆ２ａ／ｆ２ｂ             1.03
条件式（３） （Ｒ２１２−Ｒ２２１）／（Ｒ２１２＋Ｒ２２１）      0.00
条件式（４）        Ｄａ／Ｄ２ａ              0.31
条件式（５）      ｆ２１／ｆ２２             -0.40
条件式（６） （１−ｂ２ａ＿ｌ）・ｂｂ＿ｌ     -2.03
条件式（７）    （１−ｂｆｏｃ＿ｌ２）・ｂｆｏｃｂ＿ｌ２           -8.30
条件式（８）        ｆ１／ｆ＿ｓ              2.25
条件式（９）      ＴＬ＿ｌ／ｆ＿ｌ            0.89
【００９８】
以上のように説明した数値実施例１−７のズームレンズ系では、諸収差が高いレベルで補正されており、とりわけ、球面収差と軸上色収差が非常に小さく補正されている。また、非点収差と像面湾曲と倍率色収差も十分に小さく補正されており、コマ収差やその色差の乱れも最周辺部まで抑えられており、歪曲収差も絶対値で３％以下となっている。さらに、半画角が短焦点距離端で１７°程度、長焦点距離端で４°程度であり、Ｆナンバーが短焦点距離端で４．５程度、長焦点距離端で５．６程度でありながら、小型化を達成し、且つ、非常に良好な像性能を確保することができる。
【００９９】
図２９、図３０を参照して、本実施形態のズームレンズ系を搭載したデジタルカメラ（撮影装置）１００について説明する。デジタルカメラ１００は、長焦点距離端での半画角が４°程度と望遠でありながら、像振れ補正レンズ群が軽量であるため小型化を図ることができ、各種収差を良好に補正して、例えば、３０００万画素以上の撮像素子に対応した解像力を実現することができる。
【０１００】
デジタルカメラ１００は、カメラボディ（筐体）１０１と、撮影レンズ１０２と、ファインダ１０３と、フラッシュ１０４と、シャッタボタン１０５と、電源ボタン１０６と、液晶モニタ１０７と、操作ボタン１０８と、メモリカードスロット１０９と、ズームスイッチ１１０とを有している。
【０１０１】
カメラボディ１０１は、デジタルカメラ１００の各構成要素を収納する。撮影レンズ１０２は、例えば、本実施形態のズームレンズ系をレンズ鏡筒に組み込んでユニット化したものである。ファインダ１０３は、被写体や構図を決めるための覗き窓である。フラッシュ１０４は、夜間撮影や暗所撮影の際に閃光を発するものである。シャッタボタン１０５は、デジタルカメラ１００による撮影を実行するための物理スイッチである。電源ボタン１０６は、デジタルカメラ１００の電源のオンオフを切り替えるための物理スイッチである。液晶モニタ１０７は、デジタルカメラ１００による撮影画像等を表示する。操作ボタン１０８は、デジタルカメラ１００の撮影モード等を設定するための物理スイッチである。メモリカードスロット１０９は、デジタルカメラ１００による撮影画像等を記憶するメモリカード（図示略）を差し込むためのスロットである。ズームスイッチ１１０は、短焦点距離端と長焦点距離端の間での変倍（ズーミング）を行うための物理スイッチである。ズームスイッチ１１０を操作することにより、本実施形態のズームレンズ系のレンズ群間隔が適宜変更される。
【０１０２】
デジタルカメラ１００は、カメラボディ１０１の内部の機能構成要素として、中央演算装置１１１と、画像処理装置１１２と、受光素子１１３と、信号処理装置１１４と、半導体メモリ１１５と、通信カード１１６とを有している。
【０１０３】
中央演算装置１１１は、デジタルカメラ１００の内部における各種の演算処理を行う。画像処理装置１１２は、デジタルカメラ１００による撮影画像に対して各種の画像処理を行う。受光素子１１３は、測光処理に利用される外部の光を取り入れて受光する。信号処理装置１１４は、撮影指示信号や画像処理信号等の各種の信号処理を行う。半導体メモリ１１５は、デジタルカメラ１００による撮影画像の一時記憶領域を構成する。通信カード１１６は、外部装置（図示略）との無線通信等を可能にするためのものである。
【０１０４】
ここで説明したデジタルカメラ１００の構成はあくまで一例であり、種々の設計変更が可能である（デジタルカメラ１００の具体的態様には自由度がある）。
【符号の説明】
【０１０５】
Ｇ１  第１レンズ群
Ｇ２  第２レンズ群
Ｇ２ａ  第２ａレンズ群（像振れ補正レンズ群、防振レンズ群）
２１  ２１’  負レンズ（像側に凹面を向けた負レンズ）
２２  ２２’  正レンズ（物体側に凸面を向けた正レンズ）
Ｇ２ｂ  第２ｂレンズ群
Ｇ３  第３レンズ群（後続レンズ群）
Ｇ４  第４レンズ群（後続レンズ群）
Ｇ５  第５レンズ群（後続レンズ群）
Ｇ６  第６レンズ群（後続レンズ群）
Ｓ  開口絞り
１００  デジタルカメラ（撮影装置）
【図１】
2020086357.tif 000003
【図２】
2020086357.tif 000004
【図３】
2020086357.tif 000005
【図４】
2020086357.tif 000006
【図５】
2020086357.tif 000007
【図６】
2020086357.tif 000008
【図７】
2020086357.tif 000009
【図８】
2020086357.tif 000010
【図９】
2020086357.tif 000011
【図１０】
2020086357.tif 000012
【図１１】
2020086357.tif 000013
【図１２】
2020086357.tif 000014
【図１３】
2020086357.tif 000015
【図１４】
2020086357.tif 000016
【図１５】
2020086357.tif 000017
【図１６】
2020086357.tif 000018
【図１７】
2020086357.tif 000019
【図１８】
2020086357.tif 000020
【図１９】
2020086357.tif 000021
【図２０】
2020086357.tif 000022
【図２１】
2020086357.tif 000023
【図２２】
2020086357.tif 000024
【図２３】
2020086357.tif 000025
【図２４】
2020086357.tif 000026
【図２５】
2020086357.tif 000027
【図２６】
2020086357.tif 000028
【図２７】
2020086357.tif 000029
【図２８】
2020086357.tif 000030
【図２９】
2020086357.tif 000031
【図３０】
2020086357.tif 000032
【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
物体側から順に、正の屈折力の第１レンズ群と、負の屈折力の第２レンズ群と、後続レンズ群とから構成され、
第２レンズ群は、物体側から順に、負の屈折力の第２ａレンズ群と、負の屈折力の第２ｂレンズ群とから構成され、
後続レンズ群は、開口絞りと、少なくとも２つのレンズ群とを有し、
短焦点距離端から長焦点距離端への変倍に際し、第１レンズ群と第２ａレンズ群の間隔が増大し、第２ａレンズ群と第２ｂレンズ群の間隔が変化又は固定であり、第２ｂレンズ群と後続レンズ群の間隔が減少し、
第２ａレンズ群は、物体側から順に、負レンズと、正レンズとから構成され、
第２ａレンズ群は、光軸に対して垂直方向の成分を含むように移動する、
ことを特徴とするズームレンズ系。
【請求項２】
次の条件式（１）を満足することを特徴とする請求項１に記載のズームレンズ系。
（１）−１．５＜（１−ｂ２ａ＿ｓ）・ｂｂ＿ｓ＜−０．７
但し、
ｂ２ａ＿ｓ：短焦点距離端における第２ａレンズ群の横倍率、
ｂｂ＿ｓ：短焦点距離端における第２ａレンズ群より像側のレンズ群の合成横倍率。
【請求項３】
次の条件式（２）を満足することを特徴とする請求項１又は請求項２に記載のズームレンズ系。
（２）０．３＜ｆ２ａ／ｆ２ｂ＜２．５
但し、
ｆ２ａ：第２ａレンズ群の焦点距離、
ｆ２ｂ：第２ｂレンズ群の焦点距離。
【請求項４】
第２ａレンズ群の負レンズは、像側に凹面を向けており、
第２ａレンズ群の正レンズは、物体側に凸面を向けている、
ことを特徴とする請求項１から請求項３のいずれかに記載のズームレンズ系。
【請求項５】
次の条件式（３）を満足することを特徴とする請求項１から請求項４のいずれかに記載のズームレンズ系。
（３）−０．２＜（Ｒ２１２−Ｒ２２１）／（Ｒ２１２＋Ｒ２２１）＜０．２
但し、
Ｒ２１２：第２ａレンズ群の負レンズの像側の面の曲率半径、
Ｒ２２１：第２ａレンズ群の正レンズの物体側の面の曲率半径。
【請求項６】
次の条件式（４）を満足することを特徴とする請求項１から請求項５のいずれかに記載のズームレンズ系。
（４）０．０１＜Ｄａ／Ｄ２ａ＜０．５
但し、
Ｄａ：第２ａレンズ群の負レンズと正レンズの光軸上の間隔、
Ｄ２ａ：第２ａレンズ群の光軸上の厚さ。
【請求項７】
次の条件式（５）を満足することを特徴とする請求項１から請求項６のいずれかに記載のズームレンズ系。
（５）−０．７＜ｆ２１／ｆ２２＜−０．２
但し、
ｆ２１：第２ａレンズ群の負レンズの焦点距離、
ｆ２２：第２ａレンズ群の正レンズの焦点距離。
【請求項８】
短焦点距離端から長焦点距離端への変倍に際し、第２ａレンズ群が像面に対して固定されていることを特徴とする請求項１から請求項７のいずれかに記載のズームレンズ系。
【請求項９】
後続レンズ群は、物体側から順に、正の屈折力のレンズ群と、負の屈折力のレンズ群とを有しており、負の屈折力のレンズ群は、フォーカシング時に移動するフォーカスレンズ群であることを特徴とする請求項１から請求項８のいずれかに記載のズームレンズ系。
【請求項１０】
後続レンズ群は、物体側から順に、正の屈折力の第３レンズ群と、負の屈折力の第４レンズ群と、負の屈折力の第５レンズ群とから構成されていることを特徴とする請求項１から請求項９のいずれかに記載のズームレンズ系。
【請求項１１】
後続レンズ群は、物体側から順に、正の屈折力の第３レンズ群と、負の屈折力の第４レンズ群と、正の屈折力の第５レンズ群とから構成されていることを特徴とする請求項１から請求項９のいずれかに記載のズームレンズ系。
【請求項１２】
後続レンズ群は、物体側から順に、正の屈折力の第３レンズ群と、正の屈折力の第４レンズ群と、負の屈折力の第５レンズ群と、正の屈折力の第６レンズ群とから構成されていることを特徴とする請求項１から請求項９のいずれかに記載のズームレンズ系。
【請求項１３】
請求項１から請求項１２のいずれかに記載のズームレンズ系を有する撮影装置。
【手続補正２】
【補正対象書類名】明細書
【補正対象項目名】００１２
【補正方法】変更
【補正の内容】
【００１２】
本実施形態のズームレンズ系は、次の条件式（１）を満足することができる。
（１）−１．５＜（１−ｂ２ａ＿ｓ）・ｂｂ＿ｓ＜−０．７
但し、
ｂ２ａ＿ｓ：短焦点距離端における第２ａレンズ群の横倍率（倍率）、
ｂｂ＿ｓ：短焦点距離端における第２ａレンズ群より像側にある全てのレンズ群の合成横倍率（倍率）。
【手続補正３】
【補正対象書類名】明細書
【補正対象項目名】００２８
【補正方法】変更
【補正の内容】
【００２８】
本実施形態のズームレンズ系は、次の条件式（６）を満足することができる。
（６）−３．０＜（１−ｂ２ａ＿ｌ）・ｂｂ＿ｌ＜−１．５
但し、
ｂ２ａ＿ｌ：長焦点距離端における第２ａレンズ群の横倍率（倍率）、
ｂｂ＿ｌ：長焦点距離端における第２ａレンズ群より像側のレンズ群の合成横倍率（倍率）。
【手続補正４】
【補正対象書類名】明細書
【補正対象項目名】００３０
【補正方法】変更
【補正の内容】
【００３０】
本実施形態のズームレンズ系は、少なくとも１つのレンズ群として、フォーカシング時に移動するフォーカスレンズ群を有しており、次の条件式（７）を満足することができる。
（７）−１０．０＜（１−ｂｆｏｃ＿ｌ２）・ｂｆｏｃｂ＿ｌ２＜−４．０
但し、
ｂｆｏｃ＿ｌ：長焦点距離端におけるフォーカスレンズ群の横倍率（倍率）、
ｂｆｏｃｂ＿ｌ：長焦点距離端におけるフォーカスレンズ群より像側のレンズ群の合成横倍率（倍率）（フォーカスレンズ群より像側にレンズ群が存在しない場合には１とする）。
【手続補正５】
【補正対象書類名】明細書
【補正対象項目名】００４８
【補正方法】変更
【補正の内容】
【００４８】
条件式（１）、（１’）は、短焦点距離端における第２ａレンズ群Ｇ２ａの横倍率（倍率）と、それより像側のレンズ群の合成横倍率（倍率）との関係を規定している。条件式（１）を満足することにより、第２ａレンズ群Ｇ２ａによる像振れ補正量（防振感度）を最適設定するとともに、像振れ補正レンズ群（防振レンズ群）の小型化／重量減、及びズームレンズ系の小型化を図り、諸収差（偏心収差、偏心コマ収差）を良好に補正することができる。この作用効果は、条件式（１’）を満足することでより顕著に発現される。
条件式（１）の上限を超えると、第２ａレンズ群Ｇ２ａによる防振感度が低くなりすぎて、要求される像振れ補正量が大きくなる結果、像振れ補正レンズ群（防振レンズ群）の大型化/重量増、及びズームレンズ系の大型化を招いてしまう。また、第２ａレンズ群Ｇ２ａによる像振れ補正時に周辺の光がけられて、短焦点距離端における周辺光量比が低くなってしまう。
条件式（１）の下限を超えると、第２ａレンズ群Ｇ２ａによる防振感度が高くなりすぎて、第２ａレンズ群Ｇ２ａを負レンズと正レンズ（２１と２２又は２１’と２２’）の２枚のレンズで構成したのでは、諸収差（偏心収差、偏心コマ収差）を補正しきれなくなってしまう。
【手続補正６】
【補正対象書類名】明細書
【補正対象項目名】００５６
【補正方法】変更
【補正の内容】
【００５６】
本実施形態のズームレンズ系は、使用する全てのレンズが球面レンズである（非球面レンズを使用していない）。これにより、レンズコストを低くするとともに、非球面の切削痕によるボケを防止することができる。これに対して、非球面レンズを使用すれば、各種収差をさらに良好に補正することが可能になる。
【手続補正７】
【補正対象書類名】明細書
【補正対象項目名】００５７
【補正方法】変更
【補正の内容】
【００５７】
条件式（６）、（６’）は、長焦点距離端における第２ａレンズ群Ｇ２ａの横倍率（倍率）と、それより像側のレンズ群の合成横倍率（倍率）との関係を規定している。条件式（６）を満足することにより、第２ａレンズ群Ｇ２ａによる像振れ補正量（防振感度）を最適設定するとともに、ズームレンズ系の小型化を図り、諸収差（偏心収差、偏心コマ収差）を良好に補正することができる。この作用効果は、条件式（６’）を満足することでより顕著に発現される。
条件式（６）の上限を超えると、第２ａレンズ群Ｇ２ａによる防振感度が低くなりすぎて、要求される像振れ補正量が大きくなる結果、ズームレンズ系の大型化を招いてしまう。また、第２ａレンズ群Ｇ２ａによる像振れ補正時に周辺の光がけられて、長焦点距離端における周辺光量比が低くなってしまう。
条件式（６）の下限を超えると、第２ａレンズ群Ｇ２ａによる防振感度が高くなりすぎて、第２ａレンズ群Ｇ２ａを負レンズと正レンズ（２１と２２又は２１’と２２’）の２枚のレンズで構成したのでは、諸収差（偏心収差、偏心コマ収差）を補正しきれなくなってしまう。
【手続補正８】
【補正対象書類名】明細書
【補正対象項目名】００５８
【補正方法】変更
【補正の内容】
【００５８】
上述したように、本実施形態のズームレンズ系は、フォーカシング時に移動するフォーカスレンズ群を有している。条件式（７）は、長焦点距離端におけるフォーカスレンズ群の横倍率（倍率）と、それより像側のレンズ群の合成横倍率（倍率）との関係を規定している。条件式（７）を満足することにより、フォーカスレンズ群の移動量に対する像位置の変化量が大きく、かつ収差変動を抑制することができる。
条件式（７）の上限を超えると、フォーカスレンズ群の移動量に対する像位置の変化量が小さくなってしまう。
条件式（７）の下限を超えると、フォーカシング時における収差変動の抑制が困難になってしまう。